(57)【要約】  【課題】デジタルビデオテープ読取装置と書き込み可能光ディスクドライブを統合し、簡単・迅速なデータの複製書き込みが可能な、デジタルビデオテープ複製書き込み装置とその方法の提供を提供する。  【解決手段】デジタルビデオテープ読取装置と書き込み可能な光ディスクドライブを一台に統合し、複製書き込みモード、単機再生モード、単機書き込みモード等の操作モードの選択を提供し、デジタルビデオテープを収納できる空間を設けた読取装置を含み、制御ユニットにより該デジタルビデオテープのAVデータを駆動して読み取り、制御ユニットにデータを戻してエンコーディング/デコーディングユニットと制御ユニットにより読み取ったAVデータの形式を変換し、さらに光ディスクドライブで光ディスクを回転させ、制御ユニットの制御を受けて光ディスクのAVデータの書き込みまたは読み取りを行う。  【選択図】図２
2006185580.tif 000002
【特許請求の範囲】
【請求項１】
光ディスクドライブとデジタルビデオテープ読取装置等の設備を統合した複製書き込み装置において用いられ、（１）保存メディアを設備に設置し、（２）複製書き込み装置の操作モードを選択し、（３）保存メディアの位置と記憶容量を検知し、（４）設備を起動し、（５）保存メディアの読取または書き込みを行う、という手順を含む、デジタルビデオテープの複製書き込み方法。  
【請求項２】
請求項１記載のデジタルビデオテープの複製書き込み方法において、操作モードが複製書き込みモード、単機再生モード、単機書き込みモードを含む、デジタルビデオテープの複製書き込み方法。
【請求項３】
請求項２記載のデジタルビデオテープの複製書き込み方法において、操作モードが複製書き込みモードであるとき、手順（３）で検知された保存メディアの記憶容量が、設備内の保存メディアの容量と相互に合うか否かを計算するために用いられる、デジタルビデオテープの複製書き込み方法。
【請求項４】
請求項３記載のデジタルビデオテープの複製書き込み方法において、設備内の保存メディアの容量が合わないとき、複製書き込みが停止される、デジタルビデオテープの複製書き込み方法。
【請求項５】
請求項２記載のデジタルビデオテープの複製書き込み方法において、操作モードが複製書き込みモードであるとき、手順（４）で光ディスクドライブと読取装置が起動される、デジタルビデオテープの複製書き込み方法。
【請求項６】
請求項２記載のデジタルビデオテープの複製書き込み方法において、操作モードが単機書き込みモードであるとき、手順（４）で光ディスクドライブが起動される、デジタルビデオテープの複製書き込み方法。
【請求項７】
請求項２記載のデジタルビデオテープの複製書き込み方法において、操作モードが単機再生モードであるとき、手順（４）で光ディスクドライブまたは読取装置のいずれかが起動される、デジタルビデオテープの複製書き込み方法。
【請求項８】
請求項１記載のデジタルビデオテープの複製書き込み方法において、複製書き込み装置がさらに制御ユニットを含み、手順（５）で読取装置を制御してデジタルビデオテープの読み取り、及び光ディスクドライブを制御して再生または書き込みを行う、デジタルビデオテープの複製書き込み方法。
【請求項９】
請求項８記載のデジタルビデオテープの複製書き込み方法において、制御ユニットが、読取ユニットの読み取ったデジタル信号をバッファメモリに一時的に保存する、デジタルビデオテープの複製書き込み方法。
【請求項１０】
請求項９記載のデジタルビデオテープの複製書き込み方法において、複製書き込み装置がさらにエンコーディング/デコーディングユニットを含み、制御ユニットとあわせてデジタル信号の形式変換を行う、デジタルビデオテープの複製書き込み方法。
【請求項１１】
請求項１０記載のデジタルビデオテープの複製書き込み方法において、複製書き込み装置がさらに接続インターフェースを備え、外部設備を接続し信号の出力または入力を行うことができる、デジタルビデオテープの複製書き込み方法。
【請求項１２】
制御ユニットと、読取装置と、光ディスクドライブと、エンコーディング/デコーディングユニットを含み、そのうち、制御ユニットが中央処理装置であり、読取装置がデジタルビデオテープを収容する空間を備え、制御ユニットによる制御を受け、デジタルビデオテープのAVデータの駆動及び読み取りを行い、制御ユニットに伝送し、光ディスクドライブは光ディスクが設置され、光ディスクを回転させ、制御ユニットによる制御を受けて書き込みまたは光ディスクのAVデータ読み取りを行い、エンコーディング/デコーディングユニットは制御ユニットに合わせて読み取ったAVデータの形式を変換する、デジタルビデオテープ複製書き込み装置。
【請求項１３】
請求項１２記載のデジタルビデオテープ複製書き込み装置において、デジタルビデオテープ複製書き込み装置がさらにバッファメモリを含み、制御ユニットが処理したAVデータを一時的にバッファメモリに保存する、デジタルビデオテープ複製書き込み装置。
【請求項１４】
請求項１２記載のデジタルビデオテープ複製書き込み装置において、デジタルビデオテープ複製書き込み装置がさらにディスプレイウィンドウを含み、制御ユニットによる制御を受け、制御ユニット、読取装置及び光ディスクドライブ等の動作状況を表示する、デジタルビデオテープ複製書き込み装置。
【請求項１５】
請求項１２記載のデジタルビデオテープ複製書き込み装置において、デジタルビデオテープ複製書き込み装置がさらに接続インターフェースを含み、外部設備を接続することができ、且つ、制御ユニットによる制御を受け、外部設備にAVデータを出力または入力する、デジタルビデオテープ複製書き込み装置。
【発明の詳細な説明】
【技術分野】
【０００１】
本発明はデジタルビデオテープの複製書き込み装置及びその方法に関し、詳細には、デジタルビデオカメラのデジタルビデオテープのAVデータを迅速に光ディスクに複製して書き込む装置及びその方法に関する。
【背景技術】
【０００２】
デジタル化技術の迅速な発展により、デジタルビデオカメラが徐々にそのデジタル信号でアナログ信号を代替してきた。現行のデジタルビデオカメラの記録メディアは、主にデジタルAVビデオテープ、即ちデジタルビデオテープ（Digital Video Tape）、フラッシュメモリカード(Flash-memory card)、書き込み可能DVD等３つの形式がある。そのうち、フラッシュメモリカード(Flash-memory card)は一般的に容量が小さく、録画時間も短くなってしまい、また、書き込み可能なDVDは破損しやすく、体積も大きいため、携帯に不便である。録画時間を長くし、且つ、携帯しやすいデジタルビデオテープがデジタルビデオカメラの主流となっている。
【０００３】
しかしながら、DVカメラで撮影されたデータは迅速な検索と閲覧に不便であり、且つ、長期間保存することができないため、コンピュータ上で編集したり、遠方の家族や友人と共有したりするためには、撮影したAVデータ内容を長期間保存が可能なDVDに複製する必要がある。図１に示すように、一般的なDVカメラ１は、ケーブル２を利用してDVカメラ１のIEEE１３９４出力端子とコンピュータ３の本体４のIEEE１３９４入力端子を接続し、DVD５を本体４の光ディスクドライブ６に入れ、DVカメラ１を操作してデジタルビデオテープを駆動し、デジタルビデオテープの撮影されたAVデータを読み出し、IEEE１３９４出力端子からケーブル２を介して本体４のIEEE１３９４入力端子へ接続し、本体４に伝送する。そして、コンピュータ３でファイル変換とソフトウェア操作を行い、AVデータをMPEG等のDVD書き込みファイル形式に変換し、コンピュータモニタに表示し、且つ、光ディスクドライブ６でDVD５に書き込みを行い、長期間の保存を可能にする。そのうち、この再書き込み過程においてコンピュータ３で行うファイル変換とソフトウェア操作は複雑であり、一般の使用者が簡単に行えるものではなく、使用者にとって大きな手間となり、場合によっては使用が億劫になり、使用意志を萎えさせてしまうこともある。
【０００４】
現在市場にはDVD録画再生機が販売されており、アナログまたはデジタルのどちらか、または両者を備えている。使用者はIEEE１３９４端子を利用してDVカメラとDVD録画再生機をデジタル接続するか、アナログ接続端子でアナログ接続することを選択し、信号伝送の目的を達することができるようになっている。しかしながら、接続の選択肢と配線が多ければ多いほど、一般的な使用者にとっては面倒さが増してしまう。例えば、再書き込み時に使用者はまず正しいケーブルを使用して対応する端子に接続し、アナログまたはデジタル接続を確立した後、さらにデジタルビデオテープを開始点まで巻き戻し、そして光ディスクの録画モードをデジタルビデオテープの容量にあわせて設定し、最後にデジタルビデオテープを再生すると同時にDVD録画再生機の録画ボタンを押して書き込みを行う必要がある。このため、再書き込み時の接続、操作、設定及び事後の収納すべて簡単に行えるものではなく、使用者がその使用における楽しみを本当の意味で享受できなくなっている。
【０００５】
このほか、DVカメラ内にまだ録画が完了していないデジタルビデオテープがあり、別のテープを複製する必要がある場合、まだ録画が完了していないこのデジタルビデオテープを取り出して複製の必要があるデジタルビデオテープを入れて複製を行わなければならないが、このとき取り出されるデジタルビデオテープは仮保存終了点が失われ、デジタルビデオテープ内のデータを保存することができなくなるため、使用者は随意にDVカメラを運用することができない。このため、DVカメラにはまだ組み合わせ使用上の不便さがあり、解決が待たれている。
【発明の開示】
【発明が解決しようとする課題】
【０００６】
本発明の主な目的は、デジタルビデオテープ読取装置と書き込み可能光ディスクドライブを組み合わせ、簡単且つ迅速にデータの複製書き込みを行うことができる、デジタルビデオテープの複製書き込み装置及びその方法を提供することにある。
【０００７】
本発明の別の目的は、自動複製書き込み設定プロセスを利用し、ビデオテープの複製操作を簡略化し、データを安全に保存・共有することができる、デジタルビデオテープの複製書き込み装置及びその方法を提供することにある。
【０００８】
本発明のさらに別の目的は、選択可能な多種類の操作モードを備え、一台で多用でき、製品の適用範囲を拡大し、競争力を向上することができる、デジタルビデオテープの複製書き込み装置及びその方法を提供することにある。
【課題を解決するための手段】
【０００９】
上述の発明の目的を達するため、本発明のデジタルビデオテープの複製書き込み装置は、読取装置にデジタルビデオテープを収納できる空間を設け、制御ユニットによりこのデジタルビデオテープのAVデータを駆動して読み取り、制御ユニットに戻してエンコーディング/デコーディングユニットと制御ユニットにより読み取ったAVデータの形式を変換し、さらに、光ディスクドライブで光ディスクを回転させ、制御ユニットの制御を受け光ディスクのAVデータの書き込みまたは読み取りを行う。デジタルビデオテープ読取装置と書き込み可能な光ディスクドライブを一台に統合したことを特徴とする。
【００１０】
本発明のデジタルビデオテープの複製書き込み方法は、前述のデジタルビデオテープ複製書き込み装置において、保存メディアを読取装置または光ディスクドライブ等に入れ、複製書き込みモード、単機再生モード、単機書き込みモード等の操作モードを選択し、選択した操作モードに従い、保存メディアの位置と記憶容量を検知し、該設備を起動して該保存メディアの再生や読み取り、書き込みを行う。これによりデジタルビデオテープの複製操作を簡略化することができる。
【発明を実施するための最良の形態】
【００１１】
本発明の上述の目的を達するために採用する技術手段及びその他効果について、以下、最良の実施例と図面に基づき詳細に説明する。
【００１２】
図２に示すように、本発明のデジタルビデオテープの複製書き込み装置１０は、制御ユニット１１、読取装置１２、光ディスクドライブ１３を含む。主に、制御ユニット１１により読取装置１２を制御し、デジタルビデオテープ１４上のAVデータを読み取り、さらに、そのAVデータのファイル形式を変換して光ディスクドライブ１３に伝送し、光ディスクドライブ１３にAVデータを光ディスク１５上に書き込ませ、デジタルビデオテープ１４上のAVデータを光ディスク１５に複製書き込みし、保存に便利な状態にする。
【００１３】
そのうち、読取装置１２は主にデジタルビデオテープ１４を駆動してAVデータを読み取り、駆動部121及び読取ユニット１２２を含む。この駆動部１２１はカセット式デジタルビデオテープ１４を収容する空間を備え、デジタルビデオテープ１４の出し入れを可能にし、駆動部１２１はさらにデジタルビデオテープを駆動して回転させることができる。読取ユニット１２２は、回転中のデジタルビデオテープ１４上から記録されたAVデータを読み取るために用いられる。
【００１４】
本発明のデジタルビデオテープの複製書き込み装置１０の光ディスクドライブ１３は、基本構造は書き込み可能な光ディスクドライブであり、回転盤１３１、読取ヘッド１３２、サーボ機構１３３を含む。そのうち、回転盤１３１には光ディスク１５を設置することができ、光ディスク１５をデジタルビデオテープの複製書き込み装置１０から出して光ディスク１５の交換をしたり、光ディスク１５をデジタルビデオテープの複製書き込み装置１０内に入れて再生位置に進入させたりすると共に、光ディスク１５を高速で回転させる。読取ヘッド１３２は光学読取ヘッドとし、レーザー光や電子ビーム等の光束を光ディスク１５上に投射し、光束の仕事率の大小を変化させることで、光ディスク１５を読み取ったり、光ディスク１５に書き込んだりすることができる。サーボ機構１３３は、読取ヘッド１３２の制御に用いられ、読取ヘッド１３２を光ディスク１５上で径方向に移動させ、光ディスク１５上の読み取る必要があるデータや書き込みを行う位置を探させ、且つ、読取ヘッド１３２のフォーカスやトラッキング、読み取り・書き込み速度等を制御する。
【００１５】
このほか、デジタルビデオテープ複製書き込み装置１０は内部にエンコーディング/デコーディングユニット１６を含み、データをMPEG等光ディスクドライブ１３で書き込みが可能なAV形式のファイルに変換するために用いられる。同時に、複製書き込みの過程において、読取装置１２と光ディスクドライブ１３の伝送速度が異なり、相互に合わせることができず、書き込みデータが失われてしまうのを防ぐため、デジタルビデオテープ複製書き込み装置１０はバッファメモリ１７を含み、伝送データの一次保存に用いられ、読取装置１２と光ディスクドライブ１３の読み取りと書き込みの速度に合わせる、デジタルビデオテープ複製書き込み装置１０は中央処理装置（CPU）形式の制御ユニット１１を利用し、その内部に制御のファームウェアを書き込み、読取装置１２、光ディスクドライブ１３、エンコーディング/デコーディングユニット１６、バッファメモリ１７間の動作を制御し、且つ、複製書き込みモード、読取装置１２または光ディスクドライブ１３の単機再生モードまたは光ディスクドライブ１３の単機書き込みモード等操作モードの選択を提供する。このほか、デジタルビデオテープ複製書き込み装置１０はディスプレイウィンドウ１８を備え、複製書き込み中、早送り、巻き戻し、書き込み済み時間、完了予定時間等、読取装置１２と光ディスクドライブ１３の動作状況や、エラーメッセージ等制御ユニット１１の制御状況を表示するために用いられる。デジタルビデオテープ複製書き込み装置１０はさらに接続インターフェース１９を備え、コンピュータやLCDディスプレイ装置等の外部設備に接続することができる。
【００１６】
本発明のデジタルビデオテープ複製書き込み方法は、図３に示すように、デジタルビデオテープ１４を読取装置１２の駆動部１２１に設置したり、光ディスク１５を回転盤１３１上に設置して光ディスクドライブ１３の再生位置に移動させるなど、関連保存メディアを対応する装置内に設置する。そして複製書込みモード等の操作モードを選択し、制御ユニット１１がまず設置されたデジタルビデオテープと光ディスクの位置を検知し、且つ、デジタルビデオテープと光ディスクの容量が合うか否か、複製書き込みを完了できるか否かを算出し、完了できない場合は書き込みを停止する。書き込みを完了できる場合、同時に関連設備、即ち読取装置１２と光ディスクドライブ１３を同時に起動し、制御ユニット１１が駆動部１２１にコマンドを出してデジタルビデオテープ１４を回転させ、読取ユニット１２２を利用してデジタルビデオテープ１４上のAVデータを読み取り、デジタル信号を形成して制御ユニット１１に伝送してバッファメモリ１７に一時的に保存し、さらにそこから取り出して制御ユニット１１の計算能力とエンコーディング/デコーディングユニット１６により、そのデジタル信号を光ディスクドライブ１３が書き込み可能な形式の信号に変換し、且つ、制御ユニット１１がサーボ機構１３により読取ヘッド１３２を光ディスク１５の書き込み位置に対応させ、読取ヘッド１３２が光ディスク１５上にAVデータの書き込みを行う。同時に、ディスプレイウィンドウ１８を利用し書き込み完了を表示する。また制御ユニット１１は、変換したAV信号を接続インターフェース１９を介してコンピュータやLCDディスプレイ装置等の外部接続設備に伝送し、同時にAV画面を表示して書き込みを行いながら観賞することもできる。
【００１７】
単機再生モードを選択した場合、制御ユニット１１がまずデジタルビデオテープ１４または光ディスク１５が設置されていないか検知し、使用する読取装置１２または光ディスクドライブ１３を起動する。制御ユニット１１がデジタルビデオテープ１４または光ディスク１５上のAVデータの読み取りコマンドを出し、デジタル信号を形成して制御ユニット１１へ伝送し、バッファメモリ１７に一時的に保存し、さらにこのデジタル信号を取り出して制御ユニット１１の計算能力とエンコーディング/デコーディングユニット１６により、このデジタル信号をAV信号に変換し、接続インターフェース１９から外部接続されたLCDディスプレイ装置またはコンピュータに出力し、直接AV画面を観賞することができる。単機書き込みモードを選択した場合、制御ユニット１１が光ディスクドライブ１３を起動し、接続インターフェース１９に接続された外部接続設備の入力データを直接光ディスク１５に書き込む。
【００１８】
このため、本発明のデジタルビデオテープ複製書き込み装置１０は、デジタルビデオテープの読取装置１２と書き込み可能な光ディスクドライブ１３を１つの装置として統合し、複製書き込みモードや単機再生モード、単機書き込みモードを選択することで、デジタルビデオテーププレーヤー、光ディスクプレーヤー、書き込み可能光ディスクドライブ等として使用することができ、多機能な装置を構成するという目的が達せられる。同時に、使用者はボタンを押すという簡単な操作で起動し、装置内の自動複製書き込み設定プロセスを利用して簡単且つ迅速に必要なデータを複製し、保存や共有をすることができ、デジタルビデオテープの複製操作を簡略化することができる。
【００１９】
以上で述べた説明は、本発明の最良の実施例について説明したものであり、本発明の範囲はこれら最良の実施例に限られず、本発明の要旨を逸脱しない範囲において本発明に基づくあらゆる変更はすべて本発明の特許の範囲に含まれるものとみなす。
【図面の簡単な説明】
【００２０】
【図１】従来のデジタルビデオテープ複製書き込み設備間の接続を示す接続図である。
【図２】本発明のデジタルビデオテープ複製書き込み装置の構成を示すダイアグラムである。
【図３】本発明のデジタルビデオテープ複製書き込み方法のフローチャートである。
【符号の説明】
【００２１】
１０        デジタルビデオテープ複製書き込み装置
１１        制御ユニット
１２        読取装置
１２１      駆動部
１２２      読取ユニット
１３        光ディスクドライブ
１３１      回転盤
１３２      読取ヘッド
１３３      サーボ機構
１４        デジタルビデオテープ
１５        光ディスク
１６        エンコーディング/デコーディングユニット
１７        バッファメモリ
１８        ディスプレイウィンドウ
１９        接続インターフェース
【図１】
2006185580.tif 000003
【図２】
2006185580.tif 000004
【図３】
2006185580.tif 000005